(57)【要約】【課題】保持体をねじ棒に安定して固定し続けることを可能にするとともに、保持体の垂壁部と配管支持体の水平部とをより確実に係着させることができる配管用支持具を提供する。【解決手段】保持体１１は垂壁部１２と係合部１７，１８を有する一対の係止片１３，１４よりなる側面略コ字状に形成されていて垂壁部１１上部には爪部２１を有する係止窓部２０が形成されているとともに係止窓部２０の下部にはバネ部２５が配置されており、配管支持体３０は、垂壁部１２の他面側に回動自在に保持されていて、配管を支持する支持部３１の上部の水平部先端３６には係止窓部２０に挿入されかつ爪部２１に着脱自在に係着される係着孔３７とを有し、固定部材４０は、ねじ棒Ｂと係止窓部２０との間に挿入され圧嵌配置される弾性本体部４１を有し、弾性本体部４１にはその挿入方向に水平部先端３６が差し込まれ固定される固定溝部４５が形成されている。【選択図】図２
2006250320.tif 000002
【特許請求の範囲】
【請求項１】
建物に垂設されたねじ棒に保持される保持体と、配管を支持する配管支持体と、固定部材とからなる配管用支持具であって、
前記保持体は、垂壁部とその一面側に対向配置されて前記ねじ棒のネジ部に係着する係合部を有する挿通孔が設けられた一対の係止片よりなる側面略コ字状に形成されていて、前記垂壁部の上部には開口上縁に下向きに突設された爪部を有する係止窓部が形成されているとともに、前記垂壁部の前記係止窓部の下部には前記挿通孔の係合部を前記ねじ棒のネジ部側に付勢押圧するバネ部が配置されており、
前記配管支持体は、前記保持体下部の回動部を介して前記垂壁部の他面側に回動自在に保持されていて、配管を支持するための断面略円弧状の支持部と、前記支持部の上部に片持梁状に弾性を備えた水平部とを有し、前記水平部の先端には前記垂壁部の係止窓部に挿入されかつ前記爪部に着脱自在に係着される係着孔とを有し、
前記固定部材は、前記ねじ棒と前記垂壁部の係止窓部との間に挿入され圧嵌配置される弾性本体部を有し、該弾性本体部にはその挿入方向に前記配管支持体の水平部の先端が差し込まれ固定される固定溝部が形成されている
ことを特徴とする配管用支持具。
【請求項２】
前記固定部材の前記固定溝部の少なくとも一側端部に前記水平部先端の差し込みを容易にする切欠部が形成されている請求項１に記載の配管用支持具。
【請求項３】
前記固定部材の前記固定溝部が少なくとも２以上形成されている請求項１又は２に記載の配管用支持具。
【発明の詳細な説明】
【技術分野】
【０００１】
本発明は、建物の天井等に垂設されたねじ棒に直接簡易に取付固定できるようにした配管用支持具に関する。
【背景技術】
【０００２】
従来、天井等に打ち込まれたねじ棒に配管用支持具を取り付ける際には、図６及び図７に示す配管用支持具１００のように、垂壁部１１２とその一面側に対向配置された一対の係止片１１３，１１４よりなる側面略コ字状の保持体１１１を設けて、前記係止片１１３，１１４に形成した挿通孔１１５，１１６の係合部１１７，１１８にねじ棒Ｂのネジ部（谷部）Ｂ１を係合させ、垂壁部１１２の一面側に配置されたバネ部１２５によって挿通孔１１５，１１６の係合部１１７，１１８をねじ棒Ｂのネジ部Ｂ１側に付勢押圧し、前記垂壁部１１２の他面側に一端が保持体１１１下部の回動部Ｒを介して回動自在に保持されかつ他端が片持梁状に弾性を有して前記保持体１１１に対して開閉自在に係着された配管支持体１３０によって配管を支持するように構成される（例えば、特許文献１参照。）。
【０００３】
また、この配管用支持具１００には、垂壁部１１２の上部に開口上縁に下向きに突設された爪部１２１を有する係止窓部１２０が形成されている。そして、前記垂壁部１１２の他面側に開閉自在に係着される配管支持体１３０が、配管を支持する断面略円弧状の支持部１３１上部に片持梁状に弾性を備えた水平部１３５を有しており、該水平部１３５の先端１３６には係着孔１３７が形成され、前記水平部先端１３６を前記垂壁部１１２の係止窓部１２０に挿入した際に前記係着孔１３７が前記爪部１２１に着脱自在に係着されるように構成される。図において、符号１１９はコーナー部、１２６はバネ部１２５の保持体押圧片、１２７はバネ部１２５のねじ棒押圧片、１２８ａ，１２８ｂは矩形孔、１３２は矩形孔１２８ａ，１２８ｂに挿入されて枢着される枢軸部である。
【０００４】
従来の配管用支持具１００にあっては、ねじ棒Ｂが係止片１１３，１１４の係合部１１７，１１８に係合されるとともに、バネ部１２５によって前記係合部１１７，１１８がねじ棒Ｂのネジ部Ｂ１側に付勢押圧されるため、簡便かつ確実に保持体１１をねじ棒Ｂに固定することができる。また、配管支持体１３０の水平部１３５の先端１３６が保持体１１１の係止窓部１２０に挿入されて爪部１２１によって係着孔１３７が着脱自在に弾性係着されるので、配管を所定位置で簡単に収容することができる。
【０００５】
ところで、このような配管用支持具１００では、長期に亘る使用等によって、ねじ棒Ｂと係止片１１３，１１４の係合部１１７，１１８との係合力が低下したり、バネ部１２５の付勢力が低下するため、当該配管用支持具１００がずり落ちたり、がたついたりしてしまうことがあった。
【０００６】
また、従来の配管用支持具１００では、配管支持体１３０の支持部１３１で配管を収容した場合、前記配管の荷重は、垂壁部１１２の係止窓部１２０に弾性係着された水平部１３５先端１３６の抜け方向に作用するため、前記配管支持体１３０が変形して外観上見苦しくなったり、場合によっては、水平部１３５先端１３６が垂壁部１１２から外れてしまうおそれがある。
【特許文献１】実公平７−１７９０５号公報
【発明の開示】
【発明が解決しようとする課題】
【０００７】
本発明は前記の点に鑑みなされたものであり、保持体をねじ棒により安定して固定することができるとともに、保持体の垂壁部と配管支持体の水平部とをより確実に係着させることができる配管用支持具を提供するものである。
【課題を解決するための手段】
【０００８】
すなわち、請求項１の発明は、建物に垂設されたねじ棒に保持される保持体と、配管を支持する配管支持体と、固定部材とからなる配管用支持具であって、前記保持体は、垂壁部とその一面側に対向配置されて前記ねじ棒のネジ部に係着する係合部を有する挿通孔が設けられた一対の係止片よりなる側面略コ字状に形成されていて、前記垂壁部の上部には開口上縁に下向きに突設された爪部を有する係止窓部が形成されているとともに、前記垂壁部の前記係止窓部の下部には前記挿通孔の係合部を前記ねじ棒のネジ部側に付勢押圧するバネ部が配置されており、前記配管支持体は、前記保持体下部の回動部を介して前記垂壁部の他面側に回動自在に保持されていて、配管を支持するための断面略円弧状の支持部と、前記支持部の上部に片持梁状に弾性を備えた水平部とを有し、前記水平部の先端には前記垂壁部の係止窓部に挿入されかつ前記爪部に着脱自在に係着される係着孔とを有し、前記固定部材は、前記ねじ棒と前記垂壁部の係止窓部との間に挿入され圧嵌配置される弾性本体部を有し、該弾性本体部にはその挿入方向に前記配管支持体の水平部の先端が差し込まれ固定される固定溝部が形成されていることを特徴とする配管用支持具に係る。
【０００９】
請求項２の発明は、前記固定部材の前記固定溝部の少なくとも一側端部に前記水平部先端の差し込みを容易にする切欠部が形成されている請求項１に記載の配管用支持具に係る。
【００１０】
請求項３の発明は、前記固定部材の前記固定溝部が少なくとも２以上形成されている請求項１又は２に記載の配管用支持具に係る。
【発明の効果】
【００１１】
請求項１の発明に係る配管用支持具によれば、保持体は、垂壁部とその一面側に対向配置されてねじ棒のネジ部に係着する係合部を有する挿通孔が設けられた一対の係止片よりなる側面略コ字状に形成されていて、前記垂壁部の上部には開口上縁に下向きに突設された爪部を有する係止窓部が形成されているとともに、前記垂壁部の前記係止窓部の下部には前記挿通孔の係合部を前記ねじ棒のネジ部側に付勢押圧するバネ部が配置されており、配管支持体は、前記保持体下部の回動部を介して前記垂壁部の他面側に回動自在に保持されていて、配管を支持するための断面略円弧状の支持部と、前記支持部の上部に片持梁状に弾性を備えた水平部とを有し、前記水平部の先端には前記垂壁部の係止窓部に挿入されかつ前記爪部に着脱自在に係着される係着孔とを有し、固定部材は、前記ねじ棒と前記垂壁部の係止窓部との間に挿入され圧嵌配置される弾性本体部を有し、該弾性本体部にはその挿入方向に前記配管支持体の水平部の先端が差し込まれ固定される固定溝部が形成されているため、前記固定部材を簡便に取付けることが可能で作業性に優れ、ねじ棒と保持体の垂壁部とが内側から押圧されて前記ねじ棒と係止片の係合部との係着が強化されるとともに、垂壁部の係止窓部に弾性係着された配管保持体の水平部先端を確実に固定保持することができる。したがって、極めて簡易な構成によって保持体をねじ棒により安定して固定することができるとともに、保持体の垂壁部と配管支持体の水平部とをより確実に係着させることができる。
【００１２】
請求項２の発明によれば、請求項１において、前記固定部材の前記固定溝部の少なくとも一側端部に前記水平部先端の差し込みを容易にする切欠部が形成されているため、前記固定溝部への前記水平部先端の差し込みをより簡便かつ確実に行うことができ、作業性が向上する。
【００１３】
請求項３の発明によれば、請求項１又は２において、前記固定部材の前記固定溝部が少なくとも２以上形成されているため、ねじ棒と垂壁部の係止窓部との間に挿入する際の前記弾性本体部の向きが限定されず、より効率よく挿入することが可能となって作業性が向上する。
【発明を実施するための最良の形態】
【００１４】
以下添付の図面に従ってこの発明を詳細に説明する。
図１は本発明の一実施例に係る配管用支持具の斜視図、図２は同配管用支持具の縦断面図、図３は固定部材の斜視図、図４は他の実施例に係る固定部材の斜視図、図５は図４の固定部材の側面図である。
【００１５】
図１及び図２に示す本発明の一実施例に係る配管用支持具１０は、建物に垂設されたねじ棒Ｂに保持される保持体１１と、配管を支持する配管支持体３０と、固定部材４０とからなる。図中の符号Ｂ１はねじ棒Ｂのネジ部（谷部）、Ｒは保持体１１下部の回動部を表す。
【００１６】
保持体１１は、垂壁部１２とその一面側に対向配置されて前記ねじ棒Ｂのネジ部Ｂ１に係着する係合部１７，１８を有する挿通孔１５，１６が設けられた一対の係止片１３，１４によって側面略コ字状に形成されている。この保持体１１の係止片１３，１４は、平行で同一方向に突出しており、前記挿通孔１５，１６の内縁部を押しつぶし又は切削することによって係合部１７，１８が形成される。実施例では、係合部１７，１８がそれぞれ挿通孔１５，１６の外側内縁部に形成されている。
【００１７】
また、垂壁部１２の上部には開口上縁に下向きに突設された爪部２１を有する係止窓部２０が形成されていて、該係止窓部２０の下部には、前記挿通孔１５，１６の係合部１７，１８を前記ねじ棒Ｂのネジ部Ｂ１側に付勢押圧するバネ部２５が配置されている。このバネ部２５は、略Ｕ字状の板バネであり、曲部を介して保持体押圧片２６とねじ棒押圧片２７によって構成される。実施例のバネ部２５は、図示のように、ねじ棒Ｂの内側に配置されて前記保持体１１を他面側に付勢することによって、前記係合部１７，１８をねじ棒Ｂのネジ部Ｂ１側に付勢押圧している。
【００１８】
さらに、保持体１１下部の回動部Ｒには、垂壁部１２下端及び係止片１４の固定端側近傍に、矩形に貫設された矩形孔２８ａ，２８ｂがコーナー部１９を介して形成される。
【００１９】
配管支持体３０は、保持体１１下部の回動部Ｒを介して垂壁部１２の他面側に回動自在に保持されていて、配管を支持するための断面略円弧状の支持部３１と、前記支持部３１の上部に片持梁状に弾性を備えた水平部３５とを有する。この配管支持体３０では、支持部３１の下端部に形成された枢軸部３２が前記回動部Ｒの矩形孔２８ａ，２８ｂに挿入されて枢着されることによって回動自在に保持される。また、水平部３５は、その先端３６が垂壁部１２の係止窓部２０に挿入されて弾性係着されるものであり、前記先端３６には、前記係止窓部２０に挿入された際に爪部２１に着脱自在に係着される係着孔３７が形成されている。
【００２０】
固定部材４０は、ねじ棒Ｂと垂壁部１２の係止窓部２０との間に挿入され圧嵌配置される弾性本体部４１を有し、該弾性本体部４１にはその挿入方向に配管支持体３０の水平部３５の先端３６が差し込まれ固定される固定溝部４５が形成されている。実施例の固定部材４０は、図１ないし図３に示すように、公知の樹脂材料によって略直方体状に構成され、保持体１１の垂壁部１２一面側に当接する垂壁部側当接面４２に固定溝部４５が形成される。図において、符号４３はねじ棒Ｂに当接するねじ棒側当接面である。
【００２１】
また、この固定部材４０では、図示しかつ請求項２の発明に規定されるように、固定溝部４５の少なくとも一側端部（実施例では両側端部）に前記水平部３５先端３６の差し込みを容易にする切欠部４６，４７を形成することが好ましく勧められる。これにより、前記固定溝部４５への前記水平部３５先端３６の差し込みをより簡便かつ確実に行うことができ、作業性が向上する。
【００２２】
上記の如く構成された配管用支持具１０にあっては、建物に垂設されたねじ棒Ｂに保持される保持体１１と、配管を支持する配管支持体３０と、固定部材４０とからなり、前記固定部材４０が、ねじ棒Ｂと保持体１１の垂壁部１２に形成された係止窓部２０との間に挿入され圧嵌配置される弾性本体部５１を有するため、ねじ棒Ｂと保持体１１の垂壁部１２とが内側から押圧されて、前記ねじ棒Ｂと係止片１３，１４の係合部１７，１８との係着を強化することができ、前記保持体１１をねじ棒Ｂに安定して固定することができる。
【００２３】
また、前記固定部材４０の弾性本体部５１には、その挿入方向に配管支持体３０の水平部３５の先端３６が差し込まれ固定される固定溝部４５が形成されているため、垂壁部１２の係止窓部２０に弾性係着された配管保持体３０の水平部３５先端３６を容易かつ確実に固定保持することができる。
【００２４】
さらに、この配管用支持具１０では、前記固定部材４０がねじ棒Ｂと保持体１１の垂壁部１２との間に挿入することによって容易に取付けることが可能であるから、作業性にも優れる。
【００２５】
なお、本発明の配管用支持具は、上記実施例で述べた構成に限るものではなく、発明の趣旨を逸脱しない範囲内において種々の変更を付加して実施することができる。例えば、請求項３の発明として規定したように、固定部材の固定溝部を少なくとも２以上形成するように構成することもできる。
【００２６】
図４及び図５に示す実施例の固定部材４０Ａでは、弾性本体部４１が略直方体状に構成され、ねじ棒Ｂと垂壁部１２の係止窓部２０との間に圧嵌配置される際に前記ねじ棒Ｂ又は前記垂壁部１２に当接可能な弾性本体部４１の各面部４４ａ，４４ｂ，４４ｃ，４４ｄに、固定溝部４５ａ，４５ｂ，４５ｃ，４５ｄがそれぞれ形成されている。図において、符号４６ａ，４６ｂ，４６ｃ，４６ｄは各固定溝部４５ａ，４５ｂ，４５ｃ，４５ｄの一側に形成された切欠部、４７ａ，４７ｂ，４７ｃ，４７ｄは各固定溝部４５ａ，４５ｂ，４５ｃ，４５ｄの他側に形成された切欠部である。
【００２７】
この固定部材４０Ａでは、ねじ棒Ｂ又は垂壁部１２に当接可能な前記各面部４４ａ，４４ｂ，４４ｃ，４４ｄに、固定溝部４５ａ，４５ｂ，４５ｃ，４５ｄがそれぞれ形成されているため、ねじ棒Ｂと垂壁部１２の係止窓部２０との間に挿入する際の前記弾性本体部４１の向きが限定されず任意のものとすることができ、より効率よく挿入することが可能となって作業性が向上する。
【００２８】
また、各実施例では、固定部材の形状を略直方体状としたが、固定部材の形状はこれに限定されるものではなく、例えば円柱状に形成する等、適宜のものとすることができる。
【図面の簡単な説明】
【００２９】
【図１】本発明の一実施例に係る配管用支持具の斜視図である。
【図２】同配管用支持具の縦断面図である。
【図３】固定部材の斜視図である。
【図４】他の実施例に係る固定部材の斜視図である。
【図５】図４の固定部材の側面図である。
【図６】従来の配管用支持具の斜視図である。
【図７】図６の配管用支持具の縦断面図である。
【符号の説明】
【００３０】
１０  配管用支持具
１１  保持体
１２  垂壁部
１３，１４  係止片
１５，１６  挿通孔
１７，１８  係合部
１９  コーナー部
２０  係止窓部
２１  爪部
２５  バネ部
２６  保持体押圧片
２７  ねじ棒押圧片
２８ａ，２８ｂ  矩形孔
３０  配管支持体
３１  支持部
３２  枢軸部
３５  水平部
３６  先端部
３７  係着孔
４０  固定部材
４１  本体部
４５  固定溝部
４６，４７  切欠部
Ｂ    ねじ棒
Ｂ１  ネジ部
Ｒ    回動部
【図１】
2006250320.tif 000003
【図２】
2006250320.tif 000004
【図３】
2006250320.tif 000005
【図４】
2006250320.tif 000006
【図５】
2006250320.tif 000007
【図６】
2006250320.tif 000008
【図７】
2006250320.tif 000009